(57)【要約】【課題】能率よく試験が可能な排水管の導通試験方法を提供する。【解決手段】多層階にまたがって延びる排水立管２と、排水立管２から分岐した排水分岐管１と、を有する排水管と、排水分岐管１に接続された水まわり設備Ｗと、を有する多層階の建築物１００における排水管の導通試験方法であって、多層階を上下方向に連続する複数の階層からなる試験ブロックＢに区画して、水まわり設備Ｗから試験具を液体とともに流通させる試験具投入工程と、排水立管２における試験ブロックＢの直下に設けられた取出口１０から試験具を取り出す取り出し工程と、を備え、試験ブロックＢ毎に、試験具投入工程及び前記取り出し工程を行うことを特徴とする。【選択図】図１
2017137736.tif 000002
【特許請求の範囲】
【請求項１】
多層階にまたがって延びる排水立管と、該排水立管から分岐した排水分岐管と、を有する排水管と、前記排水分岐管に接続された水まわり設備と、を有する建築物における排水管の導通試験方法であって、
前記多層階を上下方向に連続する複数の階層からなる試験ブロックに区画して、
各前記水まわり設備から試験具を液体とともに流通させる試験具投入工程と、
前記排水立管における前記試験ブロックの直下に設けられた取出口から前記試験具を取り出す取り出し工程と、を備え、
前記試験ブロック毎に、前記試験具投入工程及び前記取り出し工程を行うことを特徴とする排水管の導通試験方法。
【請求項２】
一の前記試験ブロックにおける前記試験具投入工程及び前記取り出し工程と、他の前記試験ブロックにおける前記試験具投入工程及び前記取り出し工程とを同時に行うことを特徴とする請求項１に記載の排水管の導通試験方法。
【発明の詳細な説明】
【技術分野】
【０００１】
本発明は、排水管の導通試験方法に関するものである。
【背景技術】
【０００２】
従来から、建築物に設けられる給排水設備については、竣工前に性能検査、不具合等がないかを確認する検査等が行われる。例えば、スプリンクラー設備の散水栓の検査が提案されている（下記特許文献１参照）。
【０００３】
集合住宅における排水管の導通試験では、各戸のトイレ、台所等の各水まわり設備から、作業員がタオルや貫通孔が設けられたボール等の試験具を水とともに投入し、別の作業員が各排水管の合流する下流側の最終桝で試験具を回収して、排水管に不具合等がないかを確認している。
【先行技術文献】
【特許文献】
【０００４】
【特許文献１】特開２００７−１４３７３号公報
【発明の概要】
【発明が解決しようとする課題】
【０００５】
しかしながら、上記の排水管の導通試験では、水まわり設備から最終桝までの長さに応じて、試験具を投入後から回収するまでの時間がかかり、水まわり一箇所あたりの試験に時間をかかっていた。特に、中高層集合住宅では、水まわり設備から最終桝までの長さが長いため、特に時間をかかっていた。
また、一の作業員が上層階で試験具を投入し、他の作業員が下層階で投入された試験具を回収しなくてはならないため、工数がかかっていた。
さらに、高層集合住宅では水まわり設備の個数が多くなり、全箇所の試験をすると膨大な時間を要するという問題点があった。
【０００６】
そこで、本発明は、上記事情に鑑みてなされたものであり、能率よく試験が可能な排水管の導通試験方法を提供する。
【課題を解決するための手段】
【０００７】
上記目的を達成するために、本発明は以下の手段を採用している。
すなわち、本発明に係る排水管の導通試験方法は、多層階にまたがって延びる排水立管と、該排水立管から分岐した排水分岐管と、を有する排水管と、前記排水分岐管に接続された水まわり設備と、を有する建築物における排水管の導通試験方法であって、前記多層階を上下方向に連続する複数の階層からなる試験ブロックに区画して、各前記水まわり設備から試験具を液体とともに流通させる試験具投入工程と、前記排水立管における前記試験ブロックの直下に設けられた取出口から前記試験具を取り出す取り出し工程と、を備え、前記試験ブロック毎に、前記試験具投入工程及び前記取り出し工程を行うことを特徴とする。
【０００８】
このように構成された排水管の導通試験方法では、多層階を上下方向に連続する複数の階層からなる試験ブロックに区画する。そして、試験ブロック毎に、水まわり設備から試験具を液体とともに流通させる試験具投入工程と、排水立管における試験ブロックの直下に設けられた取出口から試験具を取り出す取り出し工程とを行う。つまり、一の水まわり設備に接続された排水管において、試験具が、当該水まわり設備から試験ブロックの直下に設けられた取出口まで流通すれば、当該排水管の導通試験は終了する。よって、例えば、試験具が、水まわり設備から投入されて最終桝で回収されるような場合と比較して、各水まわり設備から投入された試験具の流通距離が短くなったため、排水管の導通試験を短時間で行うことができ、能率よく試験を行うことができる。
【０００９】
また、本発明に係る排水管の導通試験方法は、一の前記試験ブロックにおける前記試験具投入工程及び前記取り出し工程と、他の前記試験ブロックにおける前記試験具投入工程及び前記取り出し工程とを同時に行うことが好ましい。
【００１０】
このように構成された排水管の導通試験方法では、一の試験ブロック及び他の試験ブロックにおいて、試験具投入工程及び取り出し工程を同時に行うことができるため、試験の能率性をさらに高めることができる。
【発明の効果】
【００１１】
本発明に係る排水管の導通試験方法によれば、能率よく試験をすることができる。
【図面の簡単な説明】
【００１２】
【図１】本発明の一実施形態に係る排水管の導通試験方法の対象となる建築物の排水管の構成を示す図である。
【図２】本発明の一実施形態に係る排水管の導通試験方法の対象となる建築物の排水管に設けられた取出口の構成を示す斜視図である。
【図３】本発明の一実施形態に係る排水管の導通試験方法の対象となる建築物の排水管に設けられた取出口内に、試験治具が配置された状態の水平断面図である。
【図４】図３のＡ−Ａ線で切断した鉛直断面図である。
【図５】本発明の一実施形態に係る排水管の導通試験方法で使用する試験治具を図３のＢ側から見た図である。
【図６】本発明の一実施形態に係る排水管の導通試験方法で使用する試験治具を図５のＣ側から見た図である。
【発明を実施するための形態】
【００１３】
本発明の一実施形態に係る排水管の導通試験方法について、図面を用いて説明する。
まず、排水管の導通試験方法の対象となる建築物の排水管の構成について説明する。
図１は、本発明の一実施形態に係る排水管の導通試験方法の対象となる建築物の排水管の構成を示す図である。
図１では、一部の階層（破線部分）を省略して示しているが、建築物は多層階で構成される高層建築物である。図１では、各住戸に設けられたトイレ、洗面、風呂、台所等の複数の水まわり設備のうち一の水まわり設備を代表して図示している。さらに、各階層には、３個の水まわり設備が図示されているが、３戸の住戸の水まわり設備を示し、これ以外の他の住戸の水まわり設備の図示を省略している。
【００１４】
図１に示すように、各住戸Ｈの水まわり設備Ｗには、排水分岐管（排水管）１が接続されている。各排水分岐管１には、鉛直方向に延びる排水立管（排水管）２が接続されている。
【００１５】
複数の排水立管２の下端部２Ｂは、排水横主管３に接続されている。排水横主管３は、第一桝４に接続されている。第一桝４には、図示しない住戸の水まわり設備Ｗの排水が通過する排水横主管（不図示）が接続されていてもよい。
【００１６】
第一桝４には、外部排水管５が接続されている。外部排水管５は、敷地外等に設けられた最終桝６に接続されている。
【００１７】
図１に示すように、排水立管２には、所定の階数毎に掃除用分岐部（取出口）１０が設けられている。本実施形態では、掃除用分岐部１０は３層毎に設けられている。掃除用分岐部１０は、排水分岐管１及び排水立管２が詰まった際に、掃除具（不図示）を挿入するためのものである。
【００１８】
図２は、排水立管２に設けられた掃除用分岐部１０の構成を示す斜視図である。
図２に示すように、掃除用分岐部１０は、排水立管２から分岐した掃除用分岐管１１と、掃除用分岐管１１の端部の挿入口（開口）１２を閉塞する蓋部１３と、を有している。掃除用分岐管１１は、排水立管２の側面から斜め上方に延びている。
【００１９】
次に、排水管の導通試験方法で使用される排水管の導通試験方法で使用する試験治具について説明する。
図３は、掃除用分岐部１０内に、試験治具が配置された状態の水平断面図である。図４は、図３のＡ−Ａ線で切断した鉛直断面図である。図５は、試験治具を図３のＢ側から見た図である。図６は、試験治具を図５のＣ側から見た図である。
図３から図６に示すように、回収治具（排水管の導通試験の試験治具）２０は、掃除用分岐部１０から挿入され、水まわり設備Ｗ（図１参照。以下同じ。）から投入されたタオル（不図示。以下同じ。）や貫通孔が設けられたボール（不図示。以下同じ。）等の試験具（不図示。以下同じ。）を回収するためのものである。
【００２０】
回収治具２０は、掃除用分岐管１１の底面に沿って配置され底壁部（試験具保持部）２１を有している。底壁部２１は、平面視において、掃除用分岐管１１から排水立管２まで連続して配置されている。
【００２１】
底壁部２１の先端部には、上方に立設された先端壁部（被支持部）２２が設けられている。先端壁部２２の上端部２２Ｔは、排水立管２の内周面２Ｊに沿って形成され、内周面２Ｊに当接している。
【００２２】
底壁部２１の幅方向の両側には、上方に立設された側壁部２３がそれぞれ設けられている。回収治具２０の基端側には、筒状に形成された筒状部２４が一体的に設けられている。底壁部２１と筒状部２４の底部２４Ｂとは連続して形成されている。底壁部２１、側壁部２３及び筒状部２４により、管状部材の一部が欠如して形状をなしている。
【００２３】
筒状部２４の上部は、掃除用分岐管１１の内周面１１Ｊの上部との間に僅かに隙間Ｓを有して配置されている。このように、先端壁部２２が排水立管２の内周面２Ｊに当接するとともに、筒状部２４の上部が掃除用分岐管１１の内周面１１Ｊの上部との間に僅かに隙間Ｓを有して配置されているため、回収治具２０が排水立管２内で当該位置から下方に移動（落下）することがない。
【００２４】
底壁部２１には、上下方向に貫通する排水孔（貫通孔）２６が３箇所に形成されている。排水孔２６は、後述する試験具とともに流された水を底壁部２１上に溜めることなく、下方に流すためのものである。
【００２５】
次に、排水管の導通試験方法について説明する。
まず、図１に示すように、建築物１００において、掃除用分岐部１０が設けられる毎に、試験を行うブロックを区画する。本実施形態では、水まわり設備Ｗが３層分で一単位の試験ブロックＢとする。
【００２６】
最上階の水まわり設備Ｗのうち一の水まわり設備Ｗ１から、試験具を水（液体）（不図示。以下同じ。）とともに投入する。当該試験具は、排水立管２を流通して最終桝６に到達する。そして、最終桝６から試験具を回収する。
【００２７】
次に、第一桝４の下流側に連結された外部排水管５に、第一桝４側と最終桝６側を区画する仕切り壁部（不図示。以下同じ。）を設けておく。そして、最上階の水まわり設備Ｗのうち残りの水まわり設備Ｗ２，Ｗ３及び低層階における試験ブロックＢに属さない水まわり設備Ｗ４から、試験具を水とともに投入する。当該試験具は、排水立管２を流通して第一桝４に到達する。なお、仕切り壁部により、試験具は仕切り壁部よりも下流側に流れることがない。そして、第一桝４から試験具を回収する。
【００２８】
次に、試験具投入工程を行う。
つまり、一の試験ブロックＢの直下に設けられた掃除用分岐部１０において、蓋部１３を開け、挿入口１２から掃除用分岐管１１内に回収治具２０を挿入する。そして、一の試験ブロックＢ内の各水まわり設備Ｗから、試験具を水とともに投入する。当該試験具は、排水分岐管１及び排水立管２を流通して、掃除用分岐部１０に設けられた回収治具２０内に納まる。
【００２９】
次に、取り出し工程を行う。
つまり、挿入口１２から回収治具２０を取り出す。この際に、試験具は、斜め下向きに配置された回収治具２０の先端側に配置され、底壁部２１、先端壁部２２及び側壁部２３に支持されているため、試験具が回収治具２０から落下することはない。
【００３０】
上記に示すように、一の試験ブロックＢにおいて試験具投入工程及び取り出し工程が終了すると、他の試験ブロックＢにおいて、同様に試験具投入工程及び取り出し工程を行う。このように、全ての試験ブロックＢにおいて、試験具投入工程及び取り出し工程を行えば、建築物１００全体の排水管の導通試験が終了する。
【００３１】
また、一の試験ブロックＢにおける試験（試験具投入工程及び取り出し工程）と、他の試験ブロックＢにおける試験（試験具投入工程及び取り出し工程）とを同時に行ってもよい。
【００３２】
なお、上記の試験において、試験具を回収できない場合には、排水分岐管１や排水立管２のいずれかの箇所が詰まっている等の不具合があるということである。
【００３３】
このように構成された排水管の導通試験方法では、多層階を上下方向に連続する複数の階層からなる試験ブロックＢに区画して、試験ブロックＢ毎に、水まわり設備Ｗから試験具を水とともに流通させる試験具投入工程と、排水立管２における試験ブロックＢの直下に設けられた掃除用分岐部１０から試験具を取り出す取り出し工程とを行う。つまり、一の水まわり設備Ｗに接続された排水分岐管１及び排水立管２において、試験具が、当該水まわり設備Ｗから試験ブロックＢの直下に設けられた掃除用分岐部１０まで流通すれば、当該排水分岐管１及び排水立管２の導通試験は終了する。よって、例えば、試験具が、水まわり設備Ｗから投入されて最終桝６で回収されるような場合と比較して、各水まわり設備Ｗから投入された試験具の流通距離が短くなったため、排水管の導通試験を短時間で行うことができ、能率よく試験を行うことができる。
【００３４】
また、一の試験ブロックＢ及び他の試験ブロックＢにおいて、試験具投入工程及び取り出し工程を同時に行う場合には、試験の能率性をさらに高めることができる。
【００３５】
また、回収治具２０は、掃除用分岐部１０から排水立管２まで連続して配置される底壁部２１と、底壁部２１に設けられ、排水立管２の内周面２Ｊに支持される先端壁部２２と、を備える。よって、底壁部２１に設けられた先端壁部２２が排水立管２の内周面２Ｊに支持された状態で、底壁部２１で排水立管２内を流通する試験具を保持できる。よって、作業員が掃除用分岐部１０で試験具の落下を待ち試験具を捕獲する必要がないため、作業員の工数を削減でき、能率よく試験を行うことができる。
【００３６】
また、底壁部２１には上下方向に貫通する排水孔２６が形成されているため、排水立管２内を試験具とともに流通する水は排水孔２６を通り下方に流れる。よって、底壁部２１上に水が滞留することがないため、水が排水管の導通試験の妨げになることがない。
【００３７】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００３８】
１…排水分岐管（排水管）
２…排水立管（排水管）
３…排水横主管
４…第一桝
５…外部排水管
６…最終桝
１０…掃除用分岐部（取出口）
１１…掃除用分岐管
１２…挿入口
１３…蓋部
２０…回収治具（排水管の導通試験の試験治具）
２１…底壁部（試験具保持部）
２２…先端壁部（被支持部）
２３…側壁部
２４…筒状部
２６…排水孔（貫通孔）
１００…建築物
Ｂ…試験ブロック
Ｗ…水まわり設備
【図１】
2017137736.tif 000003
【図２】
2017137736.tif 000004
【図３】
2017137736.tif 000005
【図４】
2017137736.tif 000006
【図５】
2017137736.tif 000007
【図６】
2017137736.tif 000008